(57)【要約】【課題】工期が短縮できてコストを低減でき、防火塀が軽量化できて耐震性を高められる組立式防火塀及びその施工方法を提供する。【解決手段】地中に打ち込まれたアンカー（２）と、アンカー（２）に接続された鉄骨基礎（３）と、鉄骨基礎（３）に接続された鉄骨支柱（４）と、鉄骨支柱（４）に取り付けられたパネル（７）とで構成され、そして鉄骨基礎（３）はコンクリート（６）で固定されている。【選択図】図８
2005146604.tif 000002
【特許請求の範囲】
【請求項１】
地中に打ち込まれたアンカーと、アンカーに接続された鉄骨基礎と、鉄骨基礎に接続された鉄骨支柱と、鉄骨支柱に取り付けられたパネルとで構成され、そして鉄骨基礎はコンクリートで固定されていることを特徴とする組立式防火塀。
【請求項２】
前記鉄骨基礎には縦方向の長孔が明けられ、前記鉄骨支柱には横方向の長孔が明けられ、この長孔に挿入されたボルトとナットとにより前記鉄骨支柱と鉄骨基礎とを固定し、前記パネルが鉄骨支柱に取り付けられている請求項１に記載の組立式防火塀。
【請求項３】
一定間隔に掘られた溝内にアンカーを打ちこみ、このアンカーに鉄骨基礎を接続し、この鉄骨基礎に鉄骨支柱を接続し、溝内にコンクリートを打設して鉄骨基礎を固定し、そして鉄骨支柱にパネルを取り付けることを特徴とした組立式防火塀の施工方法。
【発明の詳細な説明】
【技術分野】
【０００１】
本発明は、給油所及びガス充填所等のように、危険物を取り扱う敷地の周囲に構築される組立式防火塀及びその施工方法に関する。
【背景技術】
【０００２】
給油所及びガス充填所等のように危険部を取り扱う場所では、隣接する建築物との延焼を防止するために、車両が出入りする面を除いた外周を防火塀で囲うことが法令によって義務付けられている。この防火塀は、鉄筋コンクリート製又は不燃材のパネルを組み立てて作っている。
【０００３】
鉄筋コンクリート製の防火塀は、現場で組んだ型枠にコンクリートを打設して基礎を作り、数日してコンクリートが固まった後に型枠を外し、基礎の上に組んだ型枠にコンクリートを打設して防火塀を作り、更に数日してコンクリートが固まった後に型枠を外して構築している。このように鉄筋コンクリート製の防火塀は、現場で多くの手間と日数が掛かる不都合があり、工期が長く掛かるためにコストが嵩む問題がある。また、鉄筋コンクリート製の防火塀は、重量が重くて耐震性が弱い問題もある。
【０００４】
不燃材のパネルを組み立てた防火塀では、現場で組んだ型枠にコンクリートを打設して基礎を作り、数日してコンクリートが固まった後に型枠を外し、基礎の上に立設した支柱にパネルを取り付けて構築している。このように不燃材のパネルを組み立てた防火塀では、パネルで防火塀を作っているので、防火塀の作成の工期は短くなり、コストを低減できる。そして、防火塀がパネルで構成されているので、軽量化できて耐震性が高まる。しかし、基礎は現場で組んだ型枠にコンクリートを打設して作るので、工期が長く掛かり、基礎部分のコストが嵩む問題がある。
【０００５】
【特許文献１】特開昭５８−１６４８６８号
【特許文献２】特許第３０１９２４６号
【発明の開示】
【発明が解決しようとする課題】
【０００６】
本発明は上記に鑑みてなされたもので、工期が短縮できてコストを低減でき、防火塀が軽量化できて耐震性を高められる組立式防火塀及びその施工方法を提供することを目的としている。
【課題を解決するための手段】
【０００７】
本発明の組立式防火塀（Ａ）は、地中に打ち込まれたアンカー（２）と、アンカー（２）に接続された鉄骨基礎（３）と、鉄骨基礎（３）に接続された鉄骨支柱（４）と、鉄骨支柱（４）に取り付けられたパネル（７）とで構成され、そして鉄骨基礎（３）はコンクリート（６）で固定されている。
【０００８】
そして、前記鉄骨基礎（３）には縦方向の長孔（５Ａ）が明けられ、前記鉄骨支柱（４）には横方向の長孔（５Ｂ）が明けられ、この長孔（５Ａ、５Ｂ）に挿入されたボルト（８）とナット（１０）とにより前記鉄骨支柱（４）と鉄骨基礎（３）とを固定し、前記パネル（７）が鉄骨支柱（４）に取り付けられている。
【０００９】
また本発明の組立式防火塀（Ａ）の施工方法は、一定間隔に掘られた溝（１）内にアンカー（２）を打ちこみ、このアンカー（２）に鉄骨基礎（３）を接続し、この鉄骨基礎（３）に鉄骨支柱（４）を接続し、溝（１）内にコンクリート（６）を打設して鉄骨基礎（３）を固定し、そして鉄骨支柱（４）にパネル（７）を取り付けるようにしている。
【発明の効果】
【００１０】
１）工場で製作した基礎及び防火塀を現場で組み立てるようにしているので、現場での工期が短縮できる。
２）基礎及び防火塀を工場で大量生産することができ、コストを低減することができる。
３）コンクリートを打設する型枠を使用しないので、型枠工が不用となり施工コストを低減できる。
４）防火塀をパネルで構成したので、防火塀を軽量化でき、耐震性が高められる。
５）防火塀をパネルで構成したので、防火塀を見栄えのよいコマーシャルパネルとすることができる。
６）パネルを交換することにより、常に綺麗な防火塀とすることができる。
【発明を実施するための最良の形態】
【００１１】
以下図面を参照して、本発明の実施の形態を説明する。
図１は本発明の組立式防火塀を実施した給油所Ｂを示す斜視図であり、図２乃至図５は組立式防火塀Ａ及びその施工方法を示す図で、図６は組立式防火塀の断面図である。
【００１２】
図１に示すように、組立式防火塀Ａは、給油所Ｂの敷地Ｔの道路Ｒ側を除いた周囲に築造されている。
【００１３】
図２、図３に示すように、敷地Ｔの周囲の防火塀を作る場所に、一定間隔毎に溝１、１、・・・を掘る。この溝１は、例えば間隔Ｌ１＝２００ｃｍ程度で、後述するパネルの形状によって決まる。また、溝１の形状は、例えば長さＬ２＝２００ｃｍ・幅Ｌ３＝５０ｃｍ・深さＬ４＝５０ｃｍ程度で、後述する鉄骨基礎の形状により決まる。
【００１４】
図４に示すように、溝１に複数本、例えば２本のアンカー２が間隔をあけて打ちこまれ、そのアンカー２に鉄骨基礎３を溶接又はボルトにより取り付ける。そして、鉄骨基礎３には複数の長孔５Ａ、鉄骨支柱４には複数の長孔５Ｂが互いの接続用（図５参照）に明けられており、また鉄骨支柱４には、後述するパネルを取り付けるボルト挿通用の孔５が複数個明けられている。
【００１５】
アンカー２は、例えば長さＬ５＝１２０ｃｍ程度で、鉄骨基礎３は、例えば長さＬ６＝１００ｃｍ程度である。また、鉄骨支柱４は、例えば長さＬ７＝２００ｃｍ程度で、後述するパネルの形状によって決まる。
【００１６】
図６に示すように、溝１の部分に仮固定してコンクリート６を打設し、アンカー２、鉄骨基礎３を固定する。このコンクリート６の打設は、溝１に流し込むだけであるので、型枠が不用である。
【００１７】
図７、図８に示すように、コンクリート６が固まったならば、前記長孔５Ａ、５Ｂにボルト８を挿通して鉄骨基礎３と鉄骨支柱４とをナット１０で固着し（図５参照）、そして鉄骨支柱４にパネル７を取り付ける。パネル７の鉄骨支柱４への取り付けは、鉄骨支柱４に明けられた孔５にボルト８を挿通し、このボルト８をパネル７の取り付け孔９を挿通し、ボルト８にナット１０を螺合してパネル７を鉄骨支柱４に固定する。
【００１８】
パネル７は、例えば、ガラス繊維補強セメント・ガラス繊維補強プラスチック等の不燃材で作られ、板厚が薄いので軽量である。なお、パネル７の長さＬ８＝２ｍ以下で、通常のトラックで運搬できる長さであり、幅は築造される防火塀の高さによって異なるが、幅Ｌ９＝２ｍ程度である。
【００１９】
なお、パネル７は鉄骨支柱４の両側に取り付けても、片側だけに取り付けてもよい。
【００２０】
このようにして鉄骨支柱４に取り付けたパネル７の連接部分を、不燃性のコーキング材１１でコーキングする。そして、打設コンクリート６の上面を含めた敷地Ｔないに鉄筋Ｉを配筋して設置し、その上にコンクリート１２を打設し、敷地Ｔをコンクリート舗装して、組立式防火塀Ａが完成する。
【００２１】
このように施工された防火塀Ａは下記の通りの構成を具備している。
【００２２】
敷地Ｔ内には複数本のアンカー２に取付けられた鉄骨基礎３がコンクリート６で配設されており、その鉄骨基礎３により鉄骨支柱４を立設して固定されている。この鉄骨支柱４は塀Ａを施工する範囲に複数本が立設されており、したがって溝１は連続して長く掘削してもよく或いは１本又は２本の鉄骨支柱４を固定して間隔をあけて掘削してもよい。
【００２３】
このようにして立設されている複数本の鉄骨支柱４の両側にパネル７が固着手段であるボルト８およびナット１０により取付けられている。このボルト８を挿通する取付け孔９がパネル７の適所に穿孔されている。なお、この固着手段の位置は鉄骨支柱４との関連において適宜選択できる。また必要に応じて鉄骨支柱４に図示しない挿通孔を穿孔してもよい。このようにして極めて丈夫な防火塀Ａを鉄骨支柱４に組立てることができる。
【産業上の利用可能性】
【００２４】
危険部を取り扱う場所の外周を囲う防火塀の耐震性が高められ、築造コストを低減することができる。
【図面の簡単な説明】
【００２５】
【図１】本発明の組立式防火塀を実施した給油所の斜視図。
【図２】組立式防火塀の施工方法を示す平面図。
【図３】組立式防火塀の施工方法を示す側面から見た断面図。
【図４】組立式防火塀の施工方法を示す側面から見た断面図。
【図５】組立式防火塀の施工方法を示す正面から見た断面図。
【図６】組立式防火塀の施工方法を示す側面から見た断面図。
【図７】組立式防火塀の施工方法を示す正面から見た断面図。
【図８】組立式防火塀の側面から見た断面図。
【符号の説明】
【００２６】
Ａ・・・組立式防火塀
Ｂ・・・給油所
Ｔ・・・敷地
Ｒ・・・道路
１・・・溝
２・・・アンカー
３・・・鉄骨基礎
４・・・鉄骨支柱
５Ａ、５Ｂ・・・長孔
６、１２・・・コンクリート
７・・・パネル
８・・・ボルト
９・・・孔
１０・・・ナット
１１・・・コーキング
【図１】
2005146604.tif 000003
【図２】
2005146604.tif 000004
【図３】
2005146604.tif 000005
【図４】
2005146604.tif 000006
【図５】
2005146604.tif 000007
【図６】
2005146604.tif 000008
【図７】
2005146604.tif 000009
【図８】
2005146604.tif 000010